【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
読み取ったＲＦＩＤタグが読取を意図したＲＦＩＤタグであるかを判断するためにＲＦＩＤ読取を確認するためのＲＦＩＤ読取及び画像化システムであって、
ＲＦＩＤタグデータをＲＦＩＤタグから受信することを含むＲＦＩＤタグを読み取るためのＲＦＩＤ読取回路と、
対象物の画像を感知するための画像センサのアレイを有し、該対象物に対応する画像データを生成する画像化エンジンと、
複数のＲＦＩＤ符号と、該複数のＲＦＩＤ符号のそれぞれのＲＦＩＤ符号に関連する画像データとを記憶するデータベースと、
を含み、
前記関連の画像データは、ＲＦＩＤタグを有する少なくとも１つの対象物の少なくとも１つの画像を表すものであり、
前記ＲＦＩＤ読取回路から前記ＲＦＩＤタグデータ及び前記画像化エンジンから前記生成された画像データを受信するための処理ユニット、
を更に含み、
前記処理ユニットは、
前記処理ユニット上で実行可能なプログラム可能命令を含む、前記受信したＲＦＩＤタグデータを復号化してＲＦＩＤ符号を生成するためのＲＦＩＤ復号化モジュールと、
前記処理ユニット上で実行可能なプログラム可能命令を含む、前記生成されたＲＦＩＤ符号に一致するＲＦＩＤ符号に関連する記憶された画像データにアクセスするためのデータベース問合せモジュールと、
前記ＲＦＩＤタグが前記対象物に対応するかを判断し、もしそうであれば該ＲＦＩＤタグが読取を意図したＲＦＩＤタグであると結論し、もしそうでなければ該ＲＦＩＤタグが異なる対象物に対応して読取を意図したＲＦＩＤタグではないと結論するために、生成された画像データの画像を含む前記生成された画像データをアクセスされた画像データの画像を含む前記アクセスされた画像データと比較し、該生成された画像データが前記生成されたＲＦＩＤ符号に対応するか否かを判断して前記ＲＦＩＤ読取を確認するための、前記処理ユニット上で実行可能なプログラム可能命令を含む比較モジュールと、
を含む、
ことを特徴とするシステム。
【請求項２】
前記画像化エンジン及び前記ＲＦＩＤ読取回路は、統合ＲＦＩＤ読取及び画像化装置内に収納されることを特徴とする請求項１に記載のシステム。
【請求項３】
前記画像化エンジン及び前記ＲＦＩＤ読取回路により生成された信号は、信号処理回路により連続的に処理されることを特徴とする請求項１に記載のシステム。
【請求項４】
前記複数のＲＦＩＤ符号のそれぞれのＲＦＩＤ符号に関連する前記画像データは、複数の画像を含むことを特徴とする請求項１に記載のシステム。
【請求項５】
前記比較モジュールは、前記生成された画像データを前記生成されたＲＦＩＤ符号に対応する前記複数の画像の少なくとも１つと比較するための手段を含むことを特徴とする請求項４に記載のシステム。
【請求項６】
それぞれのＲＦＩＤ符号に関連する前記画像データは、前記少なくとも１つの対象物の少なくとも１つの特性を示すデータを含むことを特徴とする請求項１に記載のシステム。
【請求項７】
前記それぞれのＲＦＩＤ符号に関連する前記画像データは、前記少なくとも１つの対象物の画像から抽出されたデータを含むことを特徴とする請求項１に記載のシステム。
【請求項８】
それぞれのＲＦＩＤ符号に関連する画像データの複数の画像データエントリのそれぞれの画像データエントリは、前記少なくとも１つの対象物の異なる眺めに対応する画像を含むことを特徴とする請求項４に記載のシステム。
【請求項９】
前記処理ユニットは、前記画像化エンジンによって画像化された前記対象物の少なくとも１つ面に対応する前記生成された画像データのデータを判断するための面判断モジュールを更に含むことを特徴とする請求項１に記載のシステム。
【請求項１０】
前記処理ユニットは、該処理ユニット上で実行可能なプログラム可能命令を含む、前記生成された画像データからデータを抽出するためのデータ抽出モジュールを更に含むことを特徴とする請求項１に記載のシステム。
【請求項１１】
前記抽出されたデータは、前記画像化エンジンによって画像化された前記対象物の少なくとも１つの特性を示すことを特徴とする請求項１０に記載のシステム。
【請求項１２】
前記ＲＦＩＤ読取装置は、ＲＦＩＤタグデータを１つよりも多いＲＦＩＤタグから受信し、
前記ＲＦＩＤ復号化モジュールは、それぞれのＲＦＩＤタグ読取に対応するＲＦＩＤ符号を生成し、
前記データベース問合せモジュールは、それぞれの生成されたＲＦＩＤ符号に一致するそれぞれのＲＦＩＤ符号に関連するそれぞれの記憶された画像データにアクセスし、
前記比較モジュールは、前記生成された画像データと前記生成されたＲＦＩＤ符号の１つとの間の最良の一致を判断し、かつ該最良の一致を有する該生成されたＲＦＩＤ符号が読取を意図したＲＦＩＤタグに対応すると判断するために、該生成された画像データをそれぞれのアクセスされた画像データと比較してその最良の相関を判断し、相関が存在しない場合には、誤った読取が発生したと判断する、
ことを特徴とする請求項１に記載のシステム。
【請求項１３】
読み取ったＲＦＩＤタグが読取を意図したＲＦＩＤタグであるかを判断するためにＲＦＩＤ読取を確認する方法であって、
ＲＦＩＤ読取作動中にＲＦＩＤタグを読み取ることによって得られた一組のＲＦＩＤタグデータから復号化されたＲＦＩＤ符号を受信する段階と、
前記ＲＦＩＤ読取作動と実質的に同時に実行された画像化作動によって得られた、対象物に対応する画像データを受信する段階と、
前記受信したＲＦＩＤ符号に一致する記憶されたＲＦＩＤ符号に対応する記憶データにアクセスするためにデータベースに問合せする段階と、
受信した画像データの画像を含む前記受信した画像データをアクセスされた記憶データの画像を含む前記アクセスされた記憶データと比較して、前記対象物に対応する前記受信した画像データが、前記ＲＦＩＤタグに対応する前記受信したＲＦＩＤ符号に対応するか否かを判断し、該ＲＦＩＤタグが該対象物に対応するかを判断して、もしそうであれば該ＲＦＩＤタグが読取を意図したＲＦＩＤタグであると結論し、もしそうでなければ該ＲＦＩＤタグが異なる対象物に対応して読取を意図したＲＦＩＤタグではないと結論する段階と、
を含むことを特徴とする方法。
【請求項１４】
前記ＲＦＩＤ符号を受信する段階は、前記ＲＦＩＤ読取作動中に読み取られた複数のそれぞれのＲＦＩＤタグに対応する複数のそれぞれの組のＲＦＩＤタグデータから復号化された複数のＲＦＩＤ符号を受信する段階を含み、
前記問合せする段階は、前記複数の受信したＲＦＩＤ符号のそれぞれの受信したＲＦＩＤ符号に一致するそれぞれの記憶されたＲＦＩＤ符号に対応する一組の記憶データにアクセスする段階を含み、
前記比較する段階は、前記複数の受信したＲＦＩＤ符号のどの受信したＲＦＩＤ符号が前記受信した画像データに対応するかを判断し、かつ該判断されたＲＦＩＤ符号が、前記読取を意図したＲＦＩＤタグに対応するＲＦＩＤタグデータから復号化されるように、該受信した画像データを前記それぞれの組のアクセスされたデータと比較してその最適な相関を判断し、相関が存在しない場合には、誤った読取が発生したと判断する段階を含む、
ことを特徴とする請求項１３に記載の方法。
【請求項１５】
読み取ったＲＦＩＤタグが読取を意図したＲＦＩＤタグであるかを判断するためにＲＦＩＤ確認を実行するための少なくとも１つのプロセッサによって実行されるように構成された一連のプログラム可能命令を記憶するコンピュータ可読媒体であって、
確認方法が、
ＲＦＩＤ読取作動中にＲＦＩＤタグを読み取ることによって得られた一組のＲＦＩＤタグデータから復号化されたＲＦＩＤ符号を受信する段階と、
前記ＲＦＩＤ読取作動と実質的に同時に実行された画像化作動によって得られた、対象物に対応する画像データを受信する段階と、
前記受信したＲＦＩＤ符号に一致する記憶されたＲＦＩＤ符号に対応する記憶データにアクセスするためにデータベースに問合せする段階と、
受信した画像データの画像を含む前記受信した画像データをアクセスされた記憶データの画像を含む前記アクセスされた記憶データと比較して、前記対象物に対応する前記受信した画像データが、前記ＲＦＩＤタグに対応する前記受信したＲＦＩＤ符号に対応するか否かを判断し、該ＲＦＩＤタグが該対象物に対応するかを判断して、もしそうであれば該ＲＦＩＤタグが読取を意図したＲＦＩＤタグであると結論し、もしそうでなければ該ＲＦＩＤタグが異なる対象物に対応して読取を意図したＲＦＩＤタグではないと結論する段階と、
を含む、
ことを特徴とするコンピュータ可読媒体。
【請求項１６】
読み取ったＲＦＩＤタグが読取を意図したＲＦＩＤタグであるかを判断するためにＲＦＩＤ読取を確認するための確認システムであって、
ＲＦＩＤ読取作動中にＲＦＩＤタグを読み取ることによって得られた一組のＲＦＩＤタグデータから復号化されたＲＦＩＤ符号を受信するための手段と、
前記ＲＦＩＤ読取作動と実質的に同時に感知された、対象物に対応する対象物データを受信するための手段と、
前記受信したＲＦＩＤ符号に一致する記憶されたＲＦＩＤ符号に対応する記憶データにアクセスするためにデータベースに問合せするための手段と、
前記受信した対象物データを前記アクセスされたデータと比較して、前記対象物に対応する該受信した対象物データが、前記ＲＦＩＤタグに対応する前記受信したＲＦＩＤ符号に対応するか否かを判断し、該ＲＦＩＤタグが該対象物に対応するかを判断して、もしそうであれば該ＲＦＩＤタグが読取を意図したＲＦＩＤタグであると結論し、もしそうでなければ該ＲＦＩＤタグが異なる対象物に対応して読取を意図したＲＦＩＤタグではないと結論するための手段と、
を含むことを特徴とするシステム。
【請求項１７】
前記生成されたＲＦＩＤ符号に対応する前記記憶データは、画像データであり、前記受信した対象物データは、画像化エンジンによって得られた画像データであることを特徴とする請求項１６に記載の確認システム。
【請求項１８】
前記受信した対象物データは、前記画像データから導出されることを特徴とする請求項１７に記載の確認システム。
【請求項１９】
前記比較するための手段は、前記比較の結果が所定の画像認識確実性閾値内であるかを判断することを特徴とする請求項１７に記載の確認システム。
【請求項２０】
前記ＲＦＩＤ符号を受信するための手段は、前記ＲＦＩＤ読取作動中に読み取られた複数のそれぞれのＲＦＩＤタグに対応する複数のそれぞれの組のＲＦＩＤタグデータから復号化された複数のＲＦＩＤ符号を受信するための手段を含み、
前記問合せするための手段は、前記複数の受信したＲＦＩＤ符号のそれぞれの受信したＲＦＩＤ符号に一致するそれぞれの記憶されたＲＦＩＤ符号に対応する一組の記憶データにアクセスするための手段を含み、
前記比較するための手段は、前記複数の受信したＲＦＩＤ符号のどの受信したＲＦＩＤ符号が前記受信した対象物データに対応するか否かを判断し、かつ該判断されたＲＦＩＤ符号が、前記読取を意図したＲＦＩＤタグに対応するＲＦＩＤタグデータから復号化されるように、該受信した対象物データを前記それぞれの組のアクセスされたデータと比較してその最適な相関を判断し、相関が存在しない場合には、誤った読取が発生したと判断するための手段を含む、
ことを特徴とする請求項１６に記載の確認システム。